(57)【要約】【課題】耳部の厚塗りや耳ムラを防止できるだけでなく、縮流による耳部内側での厚塗りをも防止でき、更には高速塗布でも液切れやカスの発生を防止でき、しかも構造的な改造ではないので使用しているうちに磨耗等による寸法変化で効果が減少することもない。【解決手段】スライド面１８を流下する複数の塗布液Ｌ１、Ｌ２、Ｌ３が順次重畳して複層塗布液を形成し、スライド面１８下端のリップ先端２６と連続走行するウエブ１４との間に形成される塗布液ビードを介して該複層塗布液をウエブ１４面に塗布すると共に、スライド面１８上の両側縁に前記塗布液の流下をガイドするガイド板２８を備えた複層スライドビード塗布装置１０において、ガイド板２８のガイド板先端側部分３４が濡れ性の高い親水性素材で形成され、ガイド板後端側部分３６が濡れ性の低い撥水性素材で形成されるようにした。【選択図】      図３
2005058922.tif 000002
【特許請求の範囲】
【請求項１】
スライド面を流下する複数の塗布液が順次重畳して複層塗布液を形成し、前記スライド面下端のリップ先端と連続走行する帯状の支持体面との間に形成される塗布液ビードを介して該複層塗布液を前記支持体面に塗布すると共に、前記スライド面上の両端部に前記塗布液の流下をガイドするガイド板を備えた複層スライドビード塗布装置において、
前記ガイド板の前記塗布液が接液する接液面は、前記複層塗布液の最下層塗布液が接液する流下開始位置からガイド板先端までの最下層接液面部分のうち、少なくとも前記ガイド板先端の先端接液面部分が濡れ性の高い親水性素材で形成され、その他の接液面部分が濡れ性の低い撥水性素材で形成されていることを特徴とする複層スライドビード塗布装置。
【請求項２】
前記親水性素材の水接触角は７５°以下であり、前記撥水性素材の水接触角は１００°以上であることを特徴とする請求項１の複層スライドビード塗布装置。
【請求項３】
前記親水性素材はポリメチルメタクリレートであると共に、前記撥水性素材はポリテトラフルオロエチレンであることを特徴とする請求項１又は２の複層スライドビード塗布装置。
【請求項４】
前記複層塗布液のうちの上側塗布液の塗布液量が、下側塗布液の塗布液量の２０％以下の少量であることを特徴とする請求項１〜３の何れか１の複層スライドビード塗布装置。
【発明の詳細な説明】
【技術分野】
【０００１】
本発明は複層スライドビード塗布装置に係り、特に、スライドビード塗布ホッパーのスライド面上の両端部にガイド板を設けて、スライド面を流下する塗布液をガイドするようにした複層スライドビード塗布装置に関する。
【背景技術】
【０００２】
複層スライドビード式の塗布装置を用いて塗布液を連続走行する帯状の支持体（以下「ウエブ」という）に塗布する場合、複数の塗布液が流下して順次重畳するスライド面の両端部にガイド板を配設している。このガイド板は、その接液面がスライド面を流下する塗布液の両端に接することにより、ウエブに塗布される塗布液をスライド面先端のリップ先端まで安定に誘導する役目を行う。
【０００３】
従来の複層スライドビード式の塗布装置のガイド板としては、例えば、特開昭５９─２０３６６６号公報、特開昭６１─５７２６０号公報、特開昭６１─５７２６１号公報、特開平４─３１７７７０号公報、に開示されたものがある。
【０００４】
特開昭５９─２０３６６６号公報には、スライド面を流下する塗布液が順次重畳して複層になることにより膜厚が変わっても、その膜厚とガイド板の垂直部の高さとの差を±０．５ｍｍの範囲に納まるようにし、これにより塗布液巾方向の厚み分布を均一にすることが開示されている。
【０００５】
また、特開昭６１─５７２６０号公報には、スライド面を膜状に流下する塗布液の巾方向両端が接するガイド板の少なくとも最下流側に、スライド面に対して一定の段差を有する一定巾の隆起部を設け、これによりウエブ両端の耳部が厚塗りにならないようにすることが開示されている。
【０００６】
また、特開昭６１─５７２６１号公報には、スライド面を膜状に流下する塗布液の巾方向両端が接するガイド板の最下流側の規制巾を拡張し、塗布液の両端を巾方向に延伸薄膜化できるようにし、これによりウエブ両端の耳部が厚塗りにならないようにすることが開示されている。
【０００７】
また、特開平４─３１７７７０号公報には、スライド面の両端部に設けられたガイド板により限定される塗布巾に対して、キャビティ・スリットの両端部に位置し、塗布液流出巾を規制する規制部材の形状を左右対称にし、キャビティではキャビティ下部から上部に円弧状に塗布流出巾を拡げていき、スリットでは少なくともスリット内下部から上部にかけて塗布液流出巾を広くし、スリット内最上部の最大巾が、スライド面塗布巾よりも少なくとも１ｍｍ以上広巾となる塗布液流出巾を規制する規制部材を備え、これによりウエブ端部の耳部が厚塗りにならないようにすることが開示されている。
【０００８】
このように、従来のガイド板は、ウエブ端部の耳部の厚塗り対策は行っているものの、耳部からの濃度不均一部分、通称「耳ムラ」が長くなるという問題や、連続塗布や高速塗布ではガイド板先端で塗布液が切れてしまうという問題は解決されていない。この液切れ対策としては、ガイド板先端とウエブとの距離を接近させることが考えられるが、接近しすぎると、ウエブがガイド板先端に擦れてカスが発生し、ウエブの製品部分にカスが混入するという新たな問題が生じる。
【０００９】
そこで、出願人は、特許文献５に記載されるように、ガイド板を構成するスライド面に垂直な垂直接液面とガイド部材とにより主として耳ムラを減少し、垂直接液面とガイド部材の傾斜接液面とを合わせた高さ、ガイド部材の傾斜接液面の傾斜、及びガイド板先端の段差高さにより主として耳部の厚塗りを防止すると共に、液切れ防止やカス発生防止対策についても提案した。
【特許文献１】特開昭５９─２０３６６６号公報
【特許文献２】特開昭６１─５７２６０号公報
【特許文献３】特開昭６１─５７２６１号公報
【特許文献４】特開平４─３１７７７０号公報
【特許文献５】特開平１０−１６５８７０号公報
【発明の開示】
【発明が解決しようとする課題】
【００１０】
しかしながら、特許文献５のガイド板は構造的に液切れやカス発生を防止するものなので、使用しているうちに磨耗等により構造の寸法が微妙に変わると効果が減少してしまうという欠点がある。
【００１１】
更に、スライド面を流下する複数の塗布液が順次重畳するときに、上側塗布液を下側塗布液に重畳する場合に、上側塗布液が下側塗布液の流下する流速によって急激に引っ張られることにより、上側塗布液がウエブ幅方向に縮流することがある。上側塗布液が縮流するとガイド板先端での耳の保持が困難になり、耳からの液切れが発生し易い。このような上側塗布液が縮流する現象は、特に上側塗布液の塗布液量が下側塗布液の塗布液量の２０％以下であるような少量の場合に生じ易い。ここでの上側塗布液、下側塗布液とは、複層塗布液の相対的な上下位置関係を示すもので、例えば、上層、中間層、及び最下層（ウエブに接する層）の３層で形成されるとき、中間層の上に上層が重畳される場合には、上層が上側塗布液になり、中間層が下側塗布液になる。しかし、このような縮流対策はガイド板の構造的な改造では対処が難しいという問題がある。
【００１２】
従って、ガイド板の構造的な改造ではない方法で、耳部の厚塗りや耳ムラを防止できるだけでなく、ガイド先端での液切れやカスの発生を防止し、更には縮流による耳部内側での厚塗りをも防止することのできるガイド板が要望されていた。
【００１３】
本発明はこのような事情に鑑みてなされたもので、耳部の厚塗りや耳ムラを防止できるだけでなく、縮流による耳部内側での厚塗りをも防止でき、更には高速塗布でも液切れやカスの発生を防止でき、しかも構造的な改造ではないので使用しているうちに磨耗等による寸法変化で効果が減少することもない複層スライドビード塗布装置を提供することを目的とする。
【課題を解決するための手段】
【００１４】
発明者は、上側塗布液の縮流の原因を鋭意検討したところ、上側塗布液の縮流はガイド板先端の接液面部分の濡れ性が低いと生じ易く、一方、ガイド板先端からの液切れは上側塗布液が下側塗布液に重畳するさいにガイド板の接液面部分の濡れ性が高いと生じ易いとの知見を得た。即ち、ガイド板の接液面は従来のように同じ素材による同じ濡れ性では、耳部での厚塗りと上層塗布液の縮流による耳部内側での厚塗りの両方を解決することはできず、接液面の部分によって濡れ性を変える必要があることが分かった。本発明はかかる知見に基づいてなされたものである。
【００１５】
請求項１の発明は前記目的を達成するために、スライド面を流下する複数の塗布液が順次重畳して複層塗布液を形成し、前記スライド面下端のリップ先端と連続走行する帯状の支持体面との間に形成される前記塗布液ビードを介して該複層塗布液を前記支持体面に塗布すると共に、前記スライド面上の両端部に前記塗布液の流下をガイドするガイド板を備えた複層スライドビード塗布装置において、前記ガイド板の前記塗布液が接液する接液面は、前記複層塗布液の最下層塗布液が接液する流下開始位置からガイド板先端までの最下層接液面部分のうち、少なくとも前記ガイド板先端の先端接液面部分が濡れ性の高い親水性素材で形成され、その他の接液面部分が濡れ性の低い撥水性素材で形成されていることを特徴とする。
【００１６】
請求項１によれば、ガイド板の接液面は、最下層接液面部分のうち少なくともガイド板先端の先端接液面部分は濡れ性が高い親水性素材で形成され、その他の接液面部分は濡れ性の低い撥水性素材で形成されているので、複層塗布液の支持体幅方向両端がガイド板から離れるいわゆる耳切れを防止できる。また、複層塗布液のうちの上側塗布液が下側塗布液に重畳するときに上側塗布液の縮流も抑制できる。しかも、本発明は構造的な改造ではないので使用しているうちに磨耗等による寸法変化で効果が減少することもない。この場合、ガイド板先端の先端接液面部分だけでなく、最下層接液面部分全体を親水性素材にしてもよい。
【００１７】
請求項２は請求項１において、前記親水性素材の水接触角は７５°以下であり、前記撥水性素材の水接触角は１００°以上であることを特徴とする。これは、本発明における親水性素材と撥水性素材の濡れ性の好ましい程度を水接触角で規定したもので、親水性素材の水接触角は７５°以下が好ましく、撥水性素材の水接触角は１００°以上が好ましい。
【００１８】
請求項３は請求項１又は２において、前記親水性素材はポリメチルメタクリレートであると共に、前記撥水性素材はポリテトラフルオロエチレンであることを特徴とする。これは、親水性素材と撥水性素材の濡れ性の程度を材料名で規定したもので、親水性素材はポリメチルメタクリレートを好ましく使用でき、撥水性素材はポリテトラフルオロエチレンを好ましく使用できる。
【００１９】
請求項４は請求項１〜３の何れか１において、前記複層塗布液のうちの上層を形成する上層塗布液量が、下層を形成する下層塗布液量の２０％以下の少量塗布であることを特徴とする。これは、上層塗布液に縮流が生じ易い、上層塗布液と下層塗布液との塗布液量関係を示したもので、このような複層スライドビード塗布において本発明はより有効だからである。尚、ここで言う下層塗布液とは、上層塗布液に対する下層塗布液の意味であり、支持体に接する塗布液のことではない。例えば、３層塗布の場合には上層塗布液と中間層塗布液と下層塗布液とで構成されるが、上層塗布液に対する下層塗布液とは中間層塗布液のことになる。
【発明の効果】
【００２０】
以上説明したように本発明に係る複層スライドビード塗布装置によれば、耳部の厚塗りや耳ムラを防止できるだけでなく、液切れやカスの発生を防止し、更には縮流による耳部内側での厚塗りをも防止できる。従って、塗布液が塗布された支持体端部の耳部まで製品とすることができるので、製品歩留りを向上させることができる。更には、高速塗布においても、耳部での液切れやカスの発生を防止できるので、安定した塗布を行うことができる。
【００２１】
しかも、本発明は構造的な改造ではないので、使用しているうちにガイド板の磨耗等による寸法変化で効果が減少することもない。
【発明を実施するための最良の形態】
【００２２】
以下添付図面に従って本発明に係る複層スライドビード塗布装置を実施するための最良の実施の形態を説明する。
【００２３】
図１は本発明の複層スライドビード塗布装置１０の側面断面図であり、図２はスライド塗布ホッパー１２を示した斜視図である。尚、複層スライドビード塗布の一例として、ウエブ１４に接触する最下層塗布液Ｌ１、中間層塗布液Ｌ２、上層塗布液Ｌ３の３層塗布の例で以下に説明する。
【００２４】
図１及び図２に示すように、複層スライドビード塗布装置１０は、主としてスライド塗布ホッパー１２とウエブ１４を連続走行させるバックアップローラ１６とで構成される。スライド塗布ホッパー１２の上面にはバックアップローラ１６側に向かって下方に傾斜するスライド面１８が形成されると共に、スライド面１８には３本のスリット２０、２２、２４の細長い吐出口が平行に形成される。この３本のスリット２０、２２、２４を塗布液の流れ方向下流側から最下層塗布液Ｌ１の第１のスリット２０、中間層塗布液Ｌ２の第２のスリット２２、及び上層塗布液Ｌ３の第３のスリット２４と呼ぶことにする。そして、塗布液Ｌ１、Ｌ２、Ｌ３は、各スリット２０、２２、２４を介してスライド面１８に押し出される。スライド面１８に押し出された各塗布液Ｌ１、Ｌ２、Ｌ３は、スライド面１８を流下しながら順次重畳して複層塗布液を形成し、互いに混ざり合うことなくスライド面１８下端のリップ先端２６に達する。この塗布液のスライド面１８における流下は、スライド面１８上の両端部に平行に配設された一対のガイド板２８、２８によりガイドされる。リップ先端２６に達した塗布液は、リップ先端２６と、バックアップローラ１６に巻き掛けられて走行するウエブ１４面との間隙３０に塗布液ビードを形成し、この塗布液ビードを介してウエブ１４面に塗布される。
【００２５】
図３は、ガイド板２８を説明する説明図である。
【００２６】
図３に示すように、ガイド板２８は、複層塗布液の最下層塗布液Ｌ１が接液する流下開始位置、即ち第１のスリット２０位置からガイド板先端３２までのガイド板部分（図３のＡの範囲で以下「ガイド板先端側部分３４」という））が濡れ性の高い親水性素材で形成され、その他のガイド板部分（図３のＢの範囲で以下「ガイド板後端側部分３６」という）が濡れ性の低い撥水性素材で形成される。親水性素材としては、水接触角が７５°以下のものを使用することが好ましく、例えばポリメチルメタクリレート（以下、ＰＭＭＡという）を好適に使用することができる。また、撥水性素材としては、その水接触角が１００°以上のものを使用することが好ましく、例えばポリテトラフルオロエチレン（以下、テフロン（商標名）という）を好適に使用することができる。
【００２７】
ガイド板２８において親水性素材を最低限使用しなくてはならない部分は、上記したガイド板先端側部分３４のうち少なくともガイド板先端３２から１０ｍｍ程度の先端接液面部分３８である。従って、上記した図３のように、親水性素材と撥水性素材とでガイド板２８全体を構成することには限定されず、ガイド板２８に塗布液が接液する接液面２８Ａだけを親水性素材と撥水性素材とで構成してもよい。この場合、親水性素材のフィルムと撥水性素材のフィルムを接液面２８Ａに貼付してもよく、親水性樹脂や撥水性樹脂を接液面２８Ａにコーティングしてもよい。
【００２８】
また、ガイド板２８の構造は、接液面２８Ａの傾斜角θ１が、図３（Ｃ）に示すようにスライド面１８に垂直な垂直線４０に対して外側に０°〜４５°の範囲で傾斜されていることが好ましい。ガイド板２８の厚みｈは、スライド面１８を流下する複層塗布液の厚みにもよるが０．５〜３ｍｍの範囲に形成することが好ましい。
【００２９】
尚、本発明は、ガイド板２８を濡れ性の異なる複数の素材で構成することであり、上記したガイド板２８の構造には限定されず、例えば、従来技術で説明した特開昭５９─２０３６６６号公報、特開昭６１─５７２６０号公報、特開昭６１─５７２６１号公報、特開平４─３１７７７０号公報、特開平１０−１６５８７０号公報で使用される構造的な改造を行ったガイド板と組み合わせることもできる。
【００３０】
次に、上記の如く構成された複層スライドビード塗布装置１０のガイド板２８の作用を説明する。
【００３１】
スリット２０、２２、２４からスライド面１８に押し出された塗布液Ｌ１、Ｌ２、Ｌ３は、ガイド板２８にガイドされてスライド面１８を流下しながら順次重畳されて複層塗布液を形成する。塗布液はガイド板２８の表面に濡れ広がる形状となり、そのためガイド板２８のやや内側で塗布液層は薄くなる。かかる複層塗布液の形成において、上層塗布液Ｌ３（ここでは上側塗布液に相当する）の塗布液量が中間層塗布液Ｌ２（ここでは下側塗布液に相当する）の塗布液量よりも少ない場合には、上層塗布液Ｌ３が薄層部分で連続性を失い耳からの液切れが生じ易くなる。特に、上層塗布液Ｌ３の塗布液量が中間層塗布液Ｌ２の塗布液量の２０％以下の少量である場合に耳切れが生じ易い。
【００３２】
しかし、本発明では、第１のスリット２０から上流側のガイド板後端側部分３６を濡れ性の低い撥水性素材で形成するようにしたので、上層塗布液Ｌ３が中間層塗布液Ｌ２に重畳するときに上層塗布液Ｌ３の縮流を抑制することができる。これにより、ウエブ１４端部の耳部より内側に形成される厚塗りを防止できる。この縮流現象は、上層塗布液Ｌ３が中間層塗布液Ｌ２に重畳された後、この２層塗布液Ｌ２、Ｌ３が最下層塗布液Ｌ１の上に重畳される場合にも起こり得るが、本発明では、第１のスリット２０から上流側のガイド板後端部分３６が撥水性素材で形成されているので、２層塗布液Ｌ２、Ｌ３が縮流することもない。
【００３３】
次に、複層塗布液は、スライド面１８をリップ先端２６まで流下し、塗布液ビードを介して連続走行するウエブ１４に塗布される。このときに、第１のスリット２０から下流側のガイド板先端側部分３４が親水性素材で形成されているので、複層塗布液がリップ先端２６からウエブ１４に塗布されるときに、複層塗布液のウエブ幅方向両端がガイド板２８の接液面２８Ａから離れるいわゆる液切れ現象を防止することができる。これにより、ウエブ１４端部の耳部の厚塗りを防止することができる。また、本発明によれば、耳ムラが生じることもない。
【００３４】
従って、本発明におけるガイド板２８を使用すれば、耳部の厚塗りや耳ムラを防止できるだけでなく、縮流による耳部内側での厚塗りをも防止できる。これにより、塗布液が塗布されたウエブ１４端部の耳部まで製品とすることができるので、製品歩留りを向上させることができる。更には、高速塗布においても、耳部での液切れやカスの発生を防止できるので、安定した塗布を行うことができる。しかも、本発明は構造的な改造ではないので使用しているうちにガイド板２８の磨耗等による寸法変化で効果が減少することもない。
【００３５】
本発明に用いられる塗布液は、その用途に応じて種種の液組成物が含まれ、例えば、写真感光材料におけるような、感光乳剤層、下塗層、保護層、バック層等の塗布液、磁気記録材料におけるような、磁性層、下塗層、潤滑層、保護層、バック層等の塗布液、その他接着剤層、着色層、防錆層、等の塗布液があげられ、それらの塗布液は、水溶性バインダー又は有機バインダーを含有して成っている。
【００３６】
本発明に使用されるウエブとは、紙、プラスチックフィルム、金属、レジンコーティッド紙、合成紙等が包含される。プラスチックフィルムの材質は、例えば、ポリエチレン、ポリプロピレン等のポリオレフィン、ポリ酢酸ビニル、ポリ塩化ビニル、ポリスチレン等のビニル重合体、６，６─ナイロン、６─ナイロン等のポリアミド、ポリエチレンテレフタレート、ポリエチレン─２，６─ナフタレート等のポリエステル、ポリカーボネート、セルローストリアセテート、セルロースダイアセテート等のセルロースアセテート等が使用される。また、レジンコーティッド紙に用いる樹脂としては、ポリエチレンを始めとするポリオレフィンが代表的であるが、必ずしもこれに限定されない。また、金属ウエブとしては、例えば、アルミニウムウエブがある。
【実施例】
【００３７】
次に、本発明の複層スライドビード塗布装置１０の実施例を説明する。スライド塗布ホッパー１２の構造は図１及び図２で説明したと同様である。また、ガイド板２８は、第１スリット２０から下流側のガイド板先端側部分３４を親水性素材であるＰＭＭＡ（水接触角が５５°）で形成し、第１スリット２０から上流側のガイド板後端側部分３６を撥水性素材であるテフロン（水接触角が１１０°）で形成した。
【００３８】
比較例１ではガイド板２８全体をテフロン（水接触角が１１０°）で形成したものを使用し、比較例２ではガイド板２８全体をＰＭＭＡ（水接触角が５５°）で形成したものを使用した。
【００３９】
また、使用したガイド板２８の形状寸法、及び塗布液の物性は次の通りであり、実施例及び比較例１、２とも共通である。
【００４０】
（ガイド板の各部の寸法）
接液面の高さ（ｈ）：２ｍｍ
接液面の傾斜角度面（θ１）：２０°
ガイド板先端の角度（θ２）：３０°
（塗布液の物性）
【００４１】
【表１】
2005058922.tif 000003
そして、塗布速度を２５ｍ／分で複層塗布液をウエブ１４に塗布したときに、実施例と比較例１、２において、ガイド板先端３２での液切れの有る無し、及び上層塗布液Ｌ３が中間層塗布液Ｌ２に重畳されるときの縮流の有る無しを調べた。
【００４２】
その結果を図４〜図６に概念図で示す。図４は比較例１、図５は比較例２、図６は本発明の実施例である。図４〜図６の各図の右側に示した断面図は、左側の図のａ位置、ｂ位置、ｃ位置での断面図であり、塗布液が順次重畳していく際のガイド板２８の接液面２８Ａにおける塗布液の状態を示している。
【００４３】
図４から分かるように、ガイド板全体をテフロンで形成した比較例１では、上層塗布液Ｌ３、中層塗布液Ｌ２、最下層塗布液Ｌ１がスライド面１８を流下しながら順次重畳される際に縮流は生じないが、重畳された複層塗布液がガイド板先端３２において液切れし、複層塗布液の端部に盛り上がり部４２が見られた。これにより、複層塗布液がウエブ１４に塗布された際にウエブ１４端部の耳部が厚塗りになり、耳部は製品にならなかった。
【００４４】
図５から分かるように、ガイド板全体をＰＭＭＡで形成した比較例２では、塗布量の少ない上層塗布液Ｌ３が中間層塗布液Ｌ２に重畳するときに上層塗布液Ｌ３が縮流し、これにより複層塗布液の端部の内側に薄層部４５が見られ、薄層部４５の更に内側に盛り上がり部４４が見られた。左側の図の点線４６は上層塗布液Ｌ３の縮流を示したものである。これにより、ガイド板先端３２への液の付着力が不十分となり、比較例１と同様に液切れして耳部は製品にならなかった。ちなみに、上層塗布液Ｌ３の塗布液量は中間層塗布液Ｌ２の塗布液量の約１７％である。
【００４５】
これに対し、図６から分かるように、ガイド板先端側部分３４を親水性素材であるＰＭＭＡで形成し、ガイド板後端側部分３６を撥水性素材であるテフロンで形成した実施例では、塗布量の少ない上層塗布液Ｌ３が中間層塗布液Ｌ２に重畳するときに上層塗布液Ｌ３が縮流することがなかった。また、重畳された複層塗布液がガイド板先端３２において液切れすることもなかった。これにより、複層塗布液がウエブ１４に塗布された際にウエブ１４端部の耳部まで製品にすることができ、製品歩留りを顕著に向上させることができた。しかも、本発明は、ガイド板２８を濡れ性の異なる複数の素材で構成したものであり、構造的に改造したものではないので、長期間使用しても効果が変わらなかった。
【図面の簡単な説明】
【００４６】
【図１】本発明の複層スライドビード塗布装置の側面断面図
【図２】スライド塗布ホッパーを示した斜視図
【図３】本発明におけるガイド板の親水性素材の使用部分と撥水性素材の使用部分、及び構造を説明する説明図
【図４】ガイド板全体をテフロンで形成した比較例１について、塗布液が順次重畳していく際のガイド板の接液面における塗布液の状態図
【図５】ガイド板全体をＰＭＭＡで形成した比較例２について、塗布液が順次重畳していく際のガイド板の接液面における塗布液の状態図
【図６】ガイド板先端側部分を親水性素材であるＰＭＭＡで形成し、ガイド板後端部分を撥水性素材であるテフロンで形成した実施例について、塗布液が順次重畳していく際のガイド板の接液面における塗布液の状態図
【符号の説明】
【００４７】
１０…複層スライドビード塗布装置、１２…スライド塗布ホッパー、１４…ウエブ、１６…バックアプローラ、１８…スライド面、２０…最下層塗布液の第１のスリット、２２…中間層塗布液の第２のスリット、２４…上層塗布液の第３のスリット、２６…リップ先端、２８…ガイド板、２８Ａ…接液面、２８Ｂ…先端面、３０…間隙、３２…ガイド板先端、３４…ガイド板先端側部分、３６…ガイド板後端側部分、３８…先端接液面部分、４０…スライド面に対する垂直線、４２、４４…盛り上がり部、Ｌ１…最下層塗布液、Ｌ２…中間層塗布液、Ｌ３…上層塗布液
【図１】
2005058922.tif 000004
【図２】
2005058922.tif 000005
【図３】
2005058922.tif 000006
【図４】
2005058922.tif 000007
【図５】
2005058922.tif 000008
【図６】
2005058922.tif 000009